(57)【要約】【課題】浴室で、１つの洗面器置き台しか有さない従来の備え付けの洗面器置き台では溢れて排水されていた湯の無駄を無くし有効利用できるようにする。【解決手段】洗面器置きテーブルが上下に階層を成して構成される浴室の壁に取り付ける洗面器置き台又は浴室カウンター一体型の洗面器置き台を構成し、各洗面器置きテーブルはテーブル奥側から手前側に下り勾配を有し、上の洗面器置きテーブルに比して下の洗面器置きテーブルは手前側の前面が張り出す構成とする。各洗面器置きテーブルに洗面器を載置する。カランから吐水された湯は、上段の洗面器に湯を溜め、洗面器置きテーブルの勾配により洗面器の手前側から溢れ湯が垂下する。この垂下する溢れ湯は下に載置された洗面器内に垂下し湯を溜める。このように構成された洗面器置き台を提供する事により、１つの洗面器では排水されていた溢れ湯を溜めることができ、湯の無駄を無くし有効に利用することができる。【選択図】図１
2011056143.tif 000002
【特許請求の範囲】
【請求項１】
カランの吐水口の下の浴室の洗い場の壁に取り付けられた洗面器置き台であり、洗面器を置くテーブルが上下２段に構成され、前記洗面器を置くテーブルは奥から手前にかけて１％〜１５％、好ましくは３％〜８％下り勾配を有し、上段の洗面器置きテーブルに比して、下段の洗面器置きテーブルの前面が１ｃｍ〜１５ｃｍ、好ましくは２ｃｍ〜６ｃｍ程度手前に張り出していることを特徴とする洗面器置き台。
【請求項２】
請求項１記載の洗面器置き台において、請求項１の洗面器置き台が、浴室の洗い場の壁に取り付けられるものである事に対して、請求項２の洗面器置き台は、浴室カウンターと一体をなすことを特徴とする洗面器置き台。
【請求項３】
洗面器置きテーブルが網目、または格子で構成されることを特徴とする請求項１及び請求項２の洗面器置き台。
【発明の詳細な説明】
【技術分野】
【０００１】
本発明は、上下に複数の洗面器等の容器を配置して使用する、浴室の洗い場の壁取り付け型洗面器置き台及び浴室カウンター一体型の洗面器置き台に関するものである。
【背景技術】
【０００２】
従来から、洗面器置き台に関しては、浴室の洗い場の壁に取り付けられる洗面器置き台（例えば、特許文献１）や浴室カウンターとして形成される洗面器置き台（例えば、特許文献２）が知られている。
【先行技術文献】
【特許文献】
【０００３】
【特許文献１】特開２００１−１６１５８７号公報
【特許文献２】実新開平１−１１０６８６号公報
【発明の概要】
【発明が解決しようとする課題】
【０００４】
しかしながら、従来のいずれの洗面器置き台も、使用される１つの洗面器の置き場所を考案し提供するものであり、２つ以上の洗面器を上下に階層を設けて載置して使用する洗面器置き台を考案し提供するものはなかった。
【０００５】
浴室の洗い場で頭髪や身体を洗う際、カランの吐水口の湯を止めて洗う場合と、カランの吐水口の湯を止めずに、洗面器に湯を溜めながら洗う場合が考えられる。
頭髪や顔等、洗う際に目を閉じなければならないような場合は、比較的短時間でその作業を完了させようとするのが、ごく自然な人間の心理的な希求である。個人差はあるが、洗髪や洗顔時に目を閉じなければならない場合、１分、２分、またはそれ以上目を閉じたまま洗う行為を行うことはあまり好まれず、洗髪や洗顔で目を閉じる時間は、できるだけ短時間で済ませたいというのが、ごく自然な人間の心理であると言える。
この場合、短時間で洗髪や洗顔を完了させることを前提に、カランの吐水口からの湯を洗面器に溜めながら行う場合もある。
カランからの吐水を止めずに洗面器に湯を溜めながら洗髪や洗顔を行った場合、１つだけの洗面器に湯を溜めながら行った場合、洗面器の湯は溢れ出し、短時間と言いつつも数リットルの湯がそのまま排水溝へと流れて無駄に排水されてしまう場合もある。
１つの洗面器の使用だけでは洗っている間に湯が洗面器から溢れてもったいないと考える場合は、もう１つ洗面器を用意し、最初の洗面器から湯が溢れ出たと感じられた際に、もう１つの洗面器を、湯が溜まった最初の洗面器と入れ替えて湯を溜め、洗い終わり頭や顔を溜めた湯で流すまでの間の、カランの吐水口から吐水され続ける湯を無駄にしないようにするという方法が考えられる。
洗面器を２つ用意し、洗髪や洗顔等の間に吐水される湯を、洗面器を入れ替えることによって連続的に２つの洗面器に溜めて無駄にしないようにすることは、経済的にも水資源の無駄をなくすという面からも良いことであるが、洗髪や洗顔等の作業をしながら、場合によっては目を閉じた状態で、１つめの洗面器に湯が溜まったと判断された時に、もう１つの洗面器と入れ替えて湯を溜めるということを行わなければならず、洗髪や洗顔等の作業に不便さを強いる作業を加えているといえる。その上、従来の浴室カウンターに設けられた洗面器置き台は洗面器を１つだけ載置するように設けられたものであるため、目を閉じた状態で洗面器を入れ替えることは、湯の入った重い洗面器を洗面器置きテーブルからどけて、空の洗面器を洗面器置きテーブルに入れ替えて載置するというように、一層の困難さを強いることとなっている。
【課題を解決するための手段】
【０００６】
この課題を解決する請求項１の発明により、カランの吐水口の下の浴室の洗い場の壁に取り付けられた洗面器置き台であり、洗面器を置くテーブルが上下２段に構成され、前記洗面器を置くテーブルは奥から手前にかけて１％〜１５％、好ましくは３％〜８％下り勾配を有し、上段の洗面器置きテーブルに比して、下段の洗面器置きテーブルの前面が１ｃｍ〜１５ｃｍ、好ましくは２ｃｍ〜６ｃｍ程度手前に張り出していることを特徴とする洗面器置き台を提供する。カランの吐水口の真下に当たる浴室の洗い場の壁面に本発明の洗い場の壁に取り付ける洗面器置き台を取り付ける事により、前記洗面器置き台の上段の洗面器置きテーブルと下段の洗面器置きテーブルに洗面器を階層を成して載置することができる。洗面器置きテーブルに奥から手前側に向かって下りの勾配をもたせ、また、下段の洗面器置きテーブルを上段の洗面器置きテーブルに比して、前面を手前側に張り出させることによって、上段の洗面器置きテーブルに載置した洗面器にカランの吐水口から湯を吐水した際に上段の洗面器置きテーブルに載置した洗面器の手前側から溢れ出て垂下する湯を、下段の洗面器置きテーブルに載置した洗面器で受け止めて溜める事ができる。
【０００７】
また、請求項２の発明により、請求項１記載の洗面器置き台において、請求項１の洗面器置き台が、浴室の洗い場の壁に取り付けられるものである事に対して、請求項２の洗面器置き台は、浴室カウンターと一体をなすことを特徴とする洗面器置き台を提供する。これによりシステムバス等で収納や美観をその機能とした浴室カウンターにおいても、洗面器を置くテーブルが上下２段に構成され、前記洗面器を置くテーブルは奥から手前にかけて１％〜１５％、好ましくは３％〜８％下り勾配を有し、上段の洗面器置きテーブルに比して、下段の洗面器置きテーブルの前面が１ｃｍ〜１５ｃｍ、好ましくは２ｃｍ〜６ｃｍ程度手前に張り出していることを特徴とする洗面器置き台を提供することができる。カランの吐水口の真下に当たる浴室のカウンター部に本発明の洗面器置き台を配置する事により、前記洗面器置き台の上段の洗面器置きテーブルと下段の洗面器置きテーブルに洗面器を階層を成して載置することができる。洗面器置きテーブルに奥から手前側に向かって下りの勾配をもたせ、また、上段の洗面器置きテーブルに比して、下段の洗面器置きテーブルの前面を手前側に張り出させることによって、上段の洗面器置きテーブルに載置した洗面器にカランの吐水口から湯を吐水した際に上段の洗面器置きテーブルに載置した洗面器の手前側から溢れ出て垂下する湯を、下段の洗面器置きテーブルに載置した洗面器で受け止めて溜める事ができる。また、従来の浴室カウンターに設けられた洗面器置き台は、洗面器を１つだけ載置するように構成されたものであるため、カランの吐水口から吐水される湯が洗面器置き台に載置された洗面器に溜まって溢れ出した場合、もう一つ洗面器を用意し入れ替えて湯を溜めようとする場合、場合によっては目を閉じた状態で洗面器を入れ替える場合も考えられ、この時、湯の入った重い洗面器を手探りで洗面器置きテーブルからどけて、空の洗面器を手探りで探し洗面器置きテーブルに載置するというように、従来の浴室カウンターの洗面器置き台では２つの洗面器に湯を溜めようとする場合非常に不便さが生じ、かつ湯が溜まった洗面器をどけてから空の洗面器を入れ替えて載置するまでの数秒の間に、カランの吐水口から吐水される湯は溜められることなく排水されてしまう。請求項２の発明により、上段の洗面器から溢れ出した湯はそのまま下段の洗面器へと溜まって行くので、洗面器を入れ替えて湯を溜める作業が無くなるというだけでなく、２つの洗面器に対して連続して湯が溜められるので、入れ替える間に排水されてしまっていた湯の無駄をなくすことができ、より快適に水の有効利用が可能となる。
【０００８】
また、請求項３の発明により、洗面器置きテーブルが網目、または格子で構成されることを特徴とする請求項１及び請求項２の洗面器置き台を提供する。これにより上段の洗面器置きテーブルに載置した洗面器にカランの吐水口から吐水している最中に当該洗面器をどけた場合に、カランの吐水口から吐水される湯は、網目又は格子の目によって、上段の洗面器置きテーブルに遮られることなく下段の洗面器置きテーブルに載置された洗面器に湯を溜めることが可能となる。再び上段の洗面器置きテーブルに洗面器を戻すまでの間にカランの吐水口から吐水される湯を無駄にすることなく下段の洗面器置きテーブルに載置した洗面器に溜める事ができる。
【発明の効果】
【０００９】
本発明の浴室の洗い場の壁に取り付ける洗面器置き台または浴室カウンターと一体として形成される洗面器置き台は、浴室壁面に沿って設置されるため浴室の洗い場において邪魔にならずまた、カランの吐水口から吐水される湯が垂下する定められた場所に、上下２段の階層を設けて洗面器を載置することができるため、カランの吐水口から吐水される湯を、上段から下段の洗面器へと連続して溜めることができる。また、洗面器置きテーブルを網目や格子とすることで、上段の洗面器をカランの吐水口から吐水される湯を受けている最中に洗面器置きテーブルからどけても、下段の洗面器置きテーブルに載置された洗面器へその吐水を間断なく溜めることができる。これらによりカランの吐水口から吐水される湯を上下に配された２つの洗面器で間断なく溜めることができ、カランの吐水口から吐水される湯の無駄を限りなく少なくすることができるという利点がある。
【図面の簡単な説明】
【００１０】
【図１】図１は浴室壁面に取り付けられた洗面器置き台の構成例のうち浴室での実施方法を示した斜視図である。（実施例１）
【図２】図２は図１の洗面器置き台の構成例の斜視図である。
【図３】図３は図２の洗面器置き台の構成例の平面図、側面図、正面図、使用状況側面図である。
【図４】図４は浴室カウンター一体型の洗面器置き台の構成例のうち浴室での実施方法を示した斜視図である。（実施例２）
【図５】図５は洗面器置きテーブルが網目又は格子で構成された洗面器置き台の構成例を示した斜視図である。
【発明を実施するための形態】
【００１１】
本発明を実施するための形態を、浴室の洗い場の壁に取り付けられた洗面器置き台を実施例１として、浴室カウンター一体型の洗面器置き台を実施例２として図を用いて説明する。
【実施例１】
【００１２】
図１は、本発明の実施例１として、浴室の洗い場の壁１３に取り付けられた洗面器置き台１の構成例の浴室の洗い場での使用の状況を示したものである。カランの吐水口８の真下に、浴室の洗い場の壁１３に取り付けられた洗面器置き台１が設置される。洗面器置き台１には上段と下段に洗面器置きテーブル２及び３が階層を成して構成されている。洗面器置きテーブル２及び３は、奥から手前に向かって１％〜１５％、好ましくは３％〜８％下り勾配を有し、上段の洗面器置きテーブルに比して、下段の洗面器置きテーブルの前面が１ｃｍ〜１５ｃｍ、好ましくは２ｃｍ〜６ｃｍ程度手前に張り出している。上段と下段の洗面器置きテーブル２及び３に洗面器４及び５を載置し、カランの吐水口８から吐水し洗面器４に湯を溜め始める。やがて洗面器４から湯７が溢れ出し垂下する。下段の洗面器置きテーブル３は上段の洗面器置きテーブル２よりも前面が手前に張り出しているので、洗面器４から溢れ出て垂下する湯７をその内側に溜める位置に洗面器５を下段の洗面器置きテーブル３に載置することができ、これにより上段の洗面器置きテーブル２に載置された洗面器４から溢れ出て垂下する湯７を無駄に排水することなく下段の洗面器置きテーブル３に載置された洗面器５に連続して溜める事ができる。
【００１３】
図２は、図１の浴室の洗い場の壁に取り付けられた洗面器置き台の浴室における使用例のうち、本発明の浴室の洗い場の壁に取り付けられた洗面器置き台の構成例を示した斜視図である。
【００１４】
図３は、図２の浴室の洗い場の壁に取り付けられた洗面器置き台１の構成例を上から見た平面図と、平面図に示した方向から図２の浴室の洗い場の壁に取り付けられた洗面器置き台を見た側面図と正面図と、使用状況の側面図である。Ａ−Ａ′側面図により、浴室の洗い場の壁に取り付けられた洗面器置き台１が上下２段の洗面器置きテーブル２及び３により構成され、各洗面器置きテーブルが奥から手前に向かって下り勾配を有していることが示される。また、上段の洗面器置きテーブル２より下段の洗面器置きテーブル３の前面部分が手前側に張り出していることも示されている。これらのことによりＡ−Ａ′使用状況側面図に示されるように、各洗面器置きテーブルに洗面器を載置した場合、カランの吐水口から吐水される湯６が上段の洗面器置きテーブル２に載置される洗面器４に溜まり、やがて洗面器４の手前側から湯７が溢れ垂下し、下段の洗面器置きテーブル３に載置された洗面器５の内側に受け止められ溜まって行くことが示されている。
【００１５】
洗面器置きテーブルの配置される高さに関して、上段の洗面器置きテーブル２は、洗面器４を載置した際にカランの吐水口よりも洗面器４の上面が低くなる高さとし、下段の洗面器置きテーブル３は浴室の洗い場の床１２よりも高く構成され、浴室の洗い場の床１２の清掃に配慮すれば、５ｃｍ〜１０ｃｍ程度下段の洗面器置きテーブル３と浴室の洗い場の床１２の間隔を設けてある方が好ましい。また、上段の洗面器置きテーブル２と下段の洗面器置きテーブル３の間隔であるが、下段の洗面器置きテーブル３に載置した洗面器５に溜まった湯でタオル等を洗うことを考慮した場合、できるだけ間隔を広く設けた方が好ましい。なお、この構成は実施例２の浴室カウンター一体型の洗面器置き台に関しても同様である。
【００１６】
図１の浴室の洗い場の壁に取り付けられた洗面器置き台１の、浴室の洗い場の壁１３への取り付け方法に関しては、壁１３にアンカーを設置し、前記アンカーに対してボルトを用いて洗面器置き台１を設置する方法や、強力な接着剤を用いて浴室の洗い場の壁面１３に接着して取り付ける方法や、あらかじめ壁面１３と一体をなすことで設置する方法等あるが、本発明はいずれの方法によっても実現可能である。
【実施例２】
【００１７】
図４は、浴室カウンター一体型の洗面器置き台１４の構成例のうち浴室での実施方法を示した斜視図である。浴室カウンター一体型の洗面器置き台の洗面器置きテーブル２及び３は、浴室の洗い場の壁に取り付けられた洗面器置き台の洗面器置きテーブル２及び３と同じく、上下２段に階層を成す洗面器置きテーブルであり、図４の洗面器置きテーブル２及び３は、奥から手前に向かって１％〜１５％、好ましくは３％〜８％下り勾配を有し、上段の洗面器置きテーブル２に比して、下段の洗面器置きテーブル３の前面が１ｃｍ〜１５ｃｍ、好ましくは２ｃｍ〜６ｃｍ程度手前に張り出している。上段と下段の洗面器置きテーブル２及び３に洗面器４及び５を載置し、カランの吐水口８から吐水し洗面器４に湯を溜め始める。やがて洗面器４から湯７が溢れ出し垂下する。下段の洗面器置きテーブル３は上段の洗面器置きテーブル２よりも前面が手前に張り出しているので、洗面器４から溢れ出て垂下する湯７をその内側に溜める位置に洗面器５を下段の洗面器置きテーブル３に載置することができ、これにより上段の洗面器置きテーブル２に載置された洗面器４から溢れ出て垂下する湯７を無駄に排水することなく下段の洗面器置きテーブル３に載置された洗面器５に連続して溜める事ができる。
浴室カウンター一体型の洗面器置き台は、従来は洗面器置きテーブルが１つで構成されたものであり、浴室カウンターの洗面器置き台において、上下に洗面器置きテーブルを構成することにより２つの洗面器を上下に載置して使用するものはなかった。
本発明の浴室カウンター一体型の洗面器置き台によって、洗面器を上下に載置して使用することが可能となり、上段の洗面器置きテーブル２に載置した洗面器４に対してカランの吐水口８から吐水された湯６が溢れ出した場合においても、下段の洗面器置きテーブル３に載置した洗面器５によって洗面器４からの溢れ湯７をその内側に受け止めて溜めることができ、従来浴室のカウンターに設けられた洗面器置き台においては、１つの洗面器に溜まり溢れ出し排水されていた湯を溜めることができ、より一層水資源の有効利用が可能となる。
【００１８】
図５は、洗面器置きテーブルを網目１６で構成した構成例と、格子１７で構成した構成例を示したものである。洗面器置きテーブル２を網目で構成した場合、上段下段の洗面器置きテーブルに洗面器をそれぞれ載置し、上段の洗面器置きテーブル２に載置した洗面器４にカランの吐水口８から湯を吐水している時、洗面器４をその溜まった湯を使うためにどかした場合、カランの吐水口から吐水される湯６は上段の洗面器置きテーブル２の網目１６により、上段の洗面器置きテーブル２に湯がはじかれてしまうことなく下段の洗面器置きテーブル３に載置された洗面器５に湯を吐水することが可能となる。これにより、カランの吐水口から吐水される湯６は、上段の洗面器置きテーブル２に載置された洗面器４がその吐水中にどけられても間断なく下段の洗面器置きテーブル３に載置に載置された洗面器５に湯を溜めることができ、吐水される湯を連続して溜め、有効に利用することが可能となる。
下段の洗面器置きテーブル３を網目で構成することは必ずしも必要ではないが、意匠の面から上段の洗面器置きテーブル２と同じ構成にしても構わないものである。
洗面器置きテーブルを格子１７で構成した場合も、網目で構成した場合と同様の機能と作用があるためその説明は網目で構成した洗面器置きテーブルと重複するので記載を省略する。
図５は、図１の浴室の洗い場の壁に取り付けられた洗面器置き台を用いて網目で構成した洗面器置きテーブルと格子で構成した洗面器置きテーブルの構成例を示しているが、浴室カウンター一体型の洗面器置き台の洗面器置きテーブルにおいても同様の構成が可能である。浴室カウンター一体型の洗面器置き台での網目及び格子の洗面器置きテーブルの図面は省略した。
【００１９】
浴室の洗い場の壁に取り付けられた洗面器置き台及び浴室カウンター一体型の洗面器置き台双方の洗面器置き台に関して、上段の洗面器置きテーブル２に載置した洗面器４に対してカランの吐水口から吐水されている時、洗面器４に溜まった湯を使うために洗面器４を上段の洗面器置きテーブル２から一時的にどかした際に、カランの吐水口から吐水される湯が上段の洗面器置きテーブル２の上面に当たりテーブル面を伝って排水されないように、上段の洗面器置きテーブル２にカランの吐水口から吐水される湯を通過させる穴１５を設けてもよい。これによりカランの吐水口から上段の洗面器４に吐水されている時に、洗面器４をどかしてもカランの吐水口から吐水される湯６は下段の洗面器置きテーブル３に載置された洗面器５に湯を溜めることができることとなり、吐水される湯をわずかな時間も無駄に排水することなく溜めることができる。なお、洗面器置きテーブルが網目又は格子で構成されている場合には、カランの吐水口から吐水される湯を通過させる穴１５は構成する必要はない。
【産業上の利用可能性】
【００２０】
本発明は、洗面器等の容器を上下に階層をもって配置し、吐水される水を上段から下段の洗面器等の容器に連続して溜めることができるため、水の有効利用に役立ち産業上の利用価値を有するとともに、工業的に量産することが可能であるため、産業上利用の可能性を有する。
【符号の説明】
【００２１】
１     浴室の洗い場の壁に取り付けられた洗面器置き台
２     洗面器置きテーブル  上段
３     洗面器置きテーブル  下段
４     上段の洗面器置きテーブルに載置された洗面器
５     下段の洗面器置きテーブルに載置された洗面器
６     カランの吐水口から吐水される湯
７     洗面器４から溢れ垂下する湯
８     カランの吐水口
９     カランのハンドル
１０   シャワーのホース
１１   浴槽
１２   浴室の洗い場の床
１３   浴室の洗い場の壁
１４   浴室カウンター
１５   カランの吐水口から吐水される湯を通過させる穴
１６   網目で構成された洗面器置きテーブル
１７   格子で構成された洗面器置きテーブル
【図１】
2011056143.tif 000003
【図２】
2011056143.tif 000004
【図３】
2011056143.tif 000005
【図４】
2011056143.tif 000006
【図５】
2011056143.tif 000007